(57)【要約】      （修正有）【課題】強固な連結がなされかつ組み立て分解操作が容易なパネル連結構造を提供する。【解決手段】各パネル４の裏面側に長手方向を該面と平行にして設けられた長尺係止部材６と、断面形状が略山状に屈曲した形状で、両端部に内側に曲った鈎部１４から成る係合部１５を備えて前記長尺係止部材を係止する抱え部材１２と、該抱え部材の中央部に設けられた螺子孔２２に螺入した締結ボルト２０とを含んで成り、締結ボルトの先端が長尺板部の表面を押圧して互いに隣接のパネル同士が抱え部材及び長尺係止部材を介して締結される。【選択図】  図１
2005215479.tif 000002
【特許請求の範囲】
【請求項１】
平面状に並設された複数のパネル同士を連結する連結構造であって、
各パネルの裏面側に長手方向を該面と平行にして設けられた長尺係止部材と、
断面形状が略山状に屈曲した形状で、両端部に内側に曲った鈎部から成る係合部を備えて前記長尺係止部材を係止する抱え部材と、
該抱え部材の中央部に設けられた螺子孔に螺入した、締結ボルトとを含んで成り、
前記長尺係止部材が、前記パネルに結合する結合部と、長尺板部と、該結合部と該長尺板部との間に介在する中間部とを備え、
一の前記パネルに設けられた前記長尺係止部材と他の前記パネルに設けられた前記長尺係止部材とが端面を互いに対面させて１の直線に沿って配置させられ、
前記抱え部材が互いに隣接の前記長尺係止部材にまたがって配されて、前記抱え部材の内側に前記長尺板部が抱えられて各前記係合部が前記長尺板部の長手方向の各辺部の裏側に係合した状態で、前記抱え部材が前記隣接の長尺係止部材を共に係止し、
前記締結ボルトの先端が前記長尺板部の表面を押圧して互いに隣接の前記パネル同士が前記抱え部材及び前記長尺係止部材を介して締結されたパネル連結構造。
【請求項２】
前記長尺係止部材の断面形状が略Ｈ字形又は略Ｉ字形である請求項１に記載のパネル連結構造。
【請求項３】
前記抱え部材の形状が略リップ付き溝形である請求項１又は２に記載のパネル連結構造。
【請求項４】
前記抱え部材に前記パネルを立設するための支柱が固定された請求項１乃至３のいずれかに記載のパネル連結構造。
【請求項５】
前記抱え部材に前記パネルを立設するための支柱が着脱可能に固定された請求項１乃至３のいずれかに記載のパネル連結構造。
【請求項６】
前記長尺係止部材の表面側に配されて前記パネルを立設するための支柱と、
該支柱及び前記長尺係止部材を抱える支柱抱え部材と、
該支柱抱え部材の中央部に設けられた螺子孔に螺入した、締結ボルトとを含んで成り、
該支柱抱え部材が、
前記支柱を抱える抱え部と、
該抱え部の両端それぞれに位置して断面形状が略山状に屈曲した形状で、両端部に内側に曲った鈎部から成る係止部を備えて前記長尺係止部材に係止される係止抱え部とを有し、
前記係止部が前記長尺板部の長手方向の各辺部の裏側に係止された状態で、前記支柱抱え部材が前記支柱と前記長尺係止部材を共に係止して結合し、
前記締結ボルトの先端が前記支柱の表面を押圧して前記パネルと前記支柱とが前記支柱抱え部材及び前記長尺係止部材を介して締結された請求項１乃至３のいずれかに記載のパネル連結構造。
【請求項７】
パネルを立設するための構造であって、
該パネルの裏面側に長手方向を該面と平行にして設けられ、前記パネルに結合する結合部と、長尺板部と、該結合部と該長尺板部との間に介在する中間部とを備えた長尺係止部材と、
断面形状が略山状に屈曲した形状で、両端部に内側に曲った鈎部から成る係合部を備えて前記長尺係止部材を係止する抱え部材と、
該抱え部材の中央部に設けられた螺子孔に螺入した、締結ボルトと、
前記抱え部材に固定された、パネルを立設するための支柱と
を含んで成り、
前記抱え部材の内側に前記長尺板部が抱えられて各前記係合部が前記長尺板部の長手方向の各辺部の裏側に係合し、
前記締結ボルトの先端が前記長尺板部の表面を押圧して前記パネルと前記抱え部材とが締結され、前記パネルと前記支柱とが前記抱え部材及び前記長尺係止部材を介して結合されたパネル立設構造。
【請求項８】
前記抱え部材に前記支柱が着脱可能に固定された請求項７に記載のパネル立設構造。
【請求項９】
パネルを立設するための構造であって、
パネルを立設するための支柱と、
該パネルの裏面側に長手方向を該面と平行にして設けられ、前記パネルに結合する結合部と、長尺板部と、該結合部と該長尺板部との間に介在する中間部とを備えた長尺係止部材と、
該支柱及び前記長尺係止部材を抱える支柱抱え部材と、
該支柱抱え部材の中央部に設けられた螺子孔に螺入した締結ボルトとを含んで成り、
該支柱抱え部材が、
前記支柱を抱える抱え部と、
該抱え部の両端それぞれに位置して断面形状が略山状に屈曲した形状で、両端部に内側に曲った鈎部から成る係止部を備えて前記長尺係止部材に係止される係止抱え部とを有し、
前記係止部が前記長尺板部の長手方向の各辺部の裏側に係止された状態で、前記支柱抱え部材が前記支柱と前記長尺係止部材とを共に係止して結合し、
前記締結ボルトの先端が前記支柱の表面を押圧し、前記パネルと前記支柱とが前記支柱抱え部材及び前記長尺係止部材を介して締結されたパネル立設構造。
【発明の詳細な説明】
【技術分野】
【０００１】
本発明は互いに隣接して平面状に並設された複数のパネル同士を連結するパネル連結構造に関する。
【背景技術】
【０００２】
選挙用のポスターを掲示するための掲示板や公告用の看板のように一時的に立設しかつ繰り返し使用するパネルについては、保管や運搬の利便性のため複数のパネル同士を平面状に並設して連結して使用することが行なわれる。この場合、連結、分解の操作が簡易であることが要求される。複数のパネル同士の連結については各種の方式が開示されている（例えば、特許文献１、２参照。）。
【０００３】
特許文献１においては、各掲示シート片の移動方向に直角な第１辺に、所定間隔をもって２以上の第１環状突部を設けるとともに、前記第１辺と反対側の第２辺に、前記各第１環状突部の間に位置するように第２環状突部を突設し、これら第１および第２環状突部の内部に接続部材を挿通することによって複数の掲示シート片を接続および取替可能に構成した広告掲示板が開示されている。特許文献２においては、一対の支柱と、対向する支柱間に配置する所要枚数の掲示プレートとからなり、前記掲示プレートは、着脱自在となるよう横方向に順次接続できる構造を有し、掲示プレートは四周縁をフレーム材で囲まれ、両側のフレーム材は、相手フレーム材及び支柱と長さ方向に沿って嵌合させることにより、掲示プレート相互及び掲示プレートと支柱を順次横方向に連結できる断面形状に形成されているポスター掲示板
が開示されている。
【０００４】
しかし前者は隣接のパネル同士の境界でパネルが折れまがる構成であり、複数のパネルを平面状に強固に連結する目的には適さない。又、後者は、パネル同士を着脱するに際して一方側のパネルを他方側のパネルに対して平行にかつ該他方側のパネルの上端以上の高さに持ち上げなければならず、組み立て、分解の操作が煩雑である。
【特許文献１】特開２００２−３２０３９号公報（特許請求の範囲）
【特許文献２】特開平９−１０１７５５号公報（特許請求の範囲）
【発明の開示】
【発明が解決しようとする課題】
【０００５】
本発明は、これら問題点に鑑み、強固な連結がなされかつ組み立て分解操作が容易なパネル連結構造を提供しようとする。
【課題を解決するための手段】
【０００６】
本発明の要旨とするところは、平面状に並設された複数のパネル同士を連結する連結構造であって、
各パネルの裏面側に長手方向を該面と平行にして設けられた長尺係止部材と、
断面形状が略山状に屈曲した形状で、両端部に内側に曲った鈎部から成る係合部を備えて前記長尺係止部材を係止する抱え部材と、
該抱え部材の中央部に設けられた螺子孔に螺入した、締結ボルトとを含んで成り、
前記長尺係止部材が、前記パネルに結合する結合部と、長尺板部と、該結合部と該長尺板部との間に介在する中間部とを備え、
一の前記パネルに設けられた前記長尺係止部材と他の前記パネルに設けられた前記長尺係止部材とが端面を互いに対面させて１の直線に沿って配置させられ、
前記抱え部材が互いに隣接の前記長尺係止部材にまたがって配されて、前記抱え部材の内側に前記長尺板部が抱えられて各前記係合部が前記長尺板部の長手方向の各辺部の裏側に係合した状態で、前記抱え部材が前記隣接の長尺係止部材を共に係止し、
前記締結ボルトの先端が前記長尺板部の表面を押圧し、互いに隣接の前記パネル同士が前記抱え部材及び前記長尺係止部材を介して締結されたパネル連結構造であることにある。
【０００７】
前記長尺係止部材の断面形状は、略Ｈ字形又は略Ｉ字形であり得る。
【０００８】
前記抱え部材の形状は、略リップ付き溝形であり得る。
【０００９】
前記パネル連結構造においては、前記抱え部材に前記パネルを立設するための支柱が固定され得る。
【００１０】
前記パネル連結構造においては、前記抱え部材に前記パネルを立設するための支柱が着脱可能に固定され得る。
【００１１】
又、本発明の要旨とするところは、前記長尺係止部材の表面側に配されて前記パネルを立設するための支柱と、
該支柱及び前記長尺係止部材を抱える支柱抱え部材と、
該支柱抱え部材の中央部に設けられた螺子孔に螺入した、締結ボルトとを含んで成り、
該支柱抱え部材が、
前記支柱を抱える抱え部と、
該抱え部の両端それぞれに位置して断面形状が略山状に屈曲した形状で、両端部に内側に曲った鈎部から成る係止部を備えて前記長尺係止部材に係止される係止抱え部とを有し、
前記係止部が前記長尺板部の長手方向の各辺部の裏側に係止された状態で、前記支柱抱え部材が前記支柱と前記長尺係止部材を共に係止して結合し、
前記締結ボルトの先端が前記支柱の表面を押圧して前記パネルと前記支柱とが前記支柱抱え部材及び前記長尺係止部材を介して締結された前記パネル連結構造であることにある。
【００１２】
更に、本発明の要旨とするところは、パネルを立設するための構造であって、
該パネルの裏面側に長手方向を該面と平行にして設けられ、前記パネルに結合する結合部と、長尺板部と、該結合部と該長尺板部との間に介在する中間部とを備えた長尺係止部材と、
断面形状が略山状に屈曲した形状で、両端部に内側に曲った鈎部から成る係合部を備えて前記長尺係止部材を係止する抱え部材と、
該抱え部材の中央部に設けられた螺子孔に螺入した、締結ボルトと、
前記抱え部材に固定された、パネルを立設するための支柱と
を含んで成り、
前記抱え部材の内側に前記長尺板部が抱えられて各前記係合部が前記長尺板部の長手方向の各辺部の裏側に係合し、
前記締結ボルトの先端が前記長尺板部の表面を押圧して前記パネルと前記抱え部材とが締結され、前記パネルと前記支柱とが前記抱え部材及び前記長尺係止部材を介して結合されたパネル立設構造であることにある。
【００１３】
前記抱え部材には前記支柱が着脱可能に固定され得る。
【００１４】
又、本発明の要旨とするところは、パネルを立設するための構造であって、
パネルを立設するための支柱と、
該パネルの裏面側に長手方向を該面と平行にして設けられ、前記パネルに結合する結合部と、長尺板部と、該結合部と該長尺板部との間に介在する中間部とを備えた長尺係止部材と、
該支柱及び前記長尺係止部材を抱える支柱抱え部材と、
該支柱抱え部材の中央部に設けられた螺子孔に螺入した締結ボルトとを含んで成り、
該支柱抱え部材が、
前記支柱を抱える抱え部と、
該抱え部の両端それぞれに位置して断面形状が略山状に屈曲した形状で、両端部に内側に曲った鈎部から成る係止部を備えて前記長尺係止部材に係止される係止抱え部とを有し、
前記係止部が前記長尺板部の長手方向の各辺部の裏側に係止された状態で、前記支柱抱え部材が前記支柱と前記長尺係止部材とを共に係止して結合し、
前記締結ボルトの先端が前記支柱の表面を押圧し、前記パネルと前記支柱とが前記支柱抱え部材及び前記長尺係止部材を介して締結されたパネル立設構造であることにある。
【発明の効果】
【００１５】
本発明により、コンパクトで組み立て分解操作が容易なパネル連結構造が提供される。
【発明を実施するための最良の形態】
【００１６】
本発明に係る態様を図面に基づいて詳しく説明する。なお、本明細書においては、各図にわたって記される同じ符号は同一又は同様の部材やものを示す。図１，図２は本発明のパネル連結構造２の態様を示す斜視模式図と側面図であり、パネル連結構造２は、互いに隣接して平面状に並設されたパネル４、４ａを連結する連結固定構造である。
【００１７】
パネル４、４ａの裏面側にはそれぞれ長尺係止部材６が長手方向をパネルの面と平行にして固定されている。長尺係止部材６は、互いに対面して平行な一対の長尺板８、９が連結長尺板部１０を介して連接された断面略Ｈ字形（Ｉ字形とも称する）のものである。長尺板８の外側面がパネル４、４ａそれぞれの裏面に対面して、長尺係止部材６がパネル４、４ａそれぞれに固定される。即ち長尺板８がパネル４にじかに固定されて、長尺係止部材６における固定部１１を構成している。連結長尺板部１０が固定部１１と長尺板９との間に介在して両者を相互に固定する中間部１３となっている。長尺板９は短幅方向に関する中央で中間部１３と連接され、中間部１３の上部のその連接個所から左右に張り出した状態となっている。
【００１８】
パネル４に設けられた長尺係止部材６とパネル４ａに設けられた長尺係止部材６ａとは、端面を互いに対面させて１の直線に沿って配置させられている。長尺係止部材６と長尺係止部材６ａとは、両者にまたがって配された抱え部材１２により係止されている。抱え部材１２は、一の方向に略均一な断面を有し、その断面形状が略山状に屈曲した形状で、断面方向両端部それぞれに内側に曲った鈎部１４から成る係合部１５を備えている。鈎部１４が長尺板９の長手方向の辺部１６の裏側に係合した状態で、長尺係止部材６と長尺係止部材６ａとが抱え部材１２により係止される。抱え部材１２の断面形状は、一辺の中央部が欠落した四角形状（リップ付き溝形の断面形状）である。抱え部材１２の断面形状は、略Ｃ字形であってもよい。即ち、抱え部材１２の断面形状は、略山状に屈曲した形状である。
【００１９】
鈎部１４が長尺板９（長尺板部１７）の長手方向の辺部１６の裏側に係合した状態で、抱え部材１２の輪切り方向中央部に設けられ、抱え部材１２を貫通して設けられた螺子孔２２に螺入した締結ボルト２０の先端が長尺板９の表面を押圧し、互いに隣接のパネル４、４ａ同士が抱え部材１２を介して締結され連結される。パネル４ａとパネル４ｂとの連結も同様の態様で行なわれる。
【００２０】
本発明においては、パネルの裏側に露出した締結ボルト２０を螺子孔２２に螺入して締結するという簡単な操作のみで互いに隣接のパネル４、４ａ同士が締結され連結される。締結前の長尺係止部材６や長尺係止部材６ａと抱え部材１２との係合状態も、抱え部材１２を長尺係止部材の端部からスライドするだけで実現される。従って、パネルの裏側の組み立て操作者の位置からパネルの裏側に向けてアプローチするだけで組み立て操作を行なうことが出来る。この操作に際しては連結用の部材の間に手を差し込む等の複雑な操作は必要でない。同様に、パネルの裏側に向けてアプローチしてその締結を緩めて抱え部材１２を長尺係止部材６や長尺係止部材６ａの長手に沿ってスライドするだけでパネル同士の連結を解いて連結されたパネルを分解することが出来る。
【００２１】
長尺係止部材はパネルの裏側に平行に複数個配されることが好ましいが1個配されてもよい。長尺係止部材が長手方向を垂直方向にして配され、上下に隣接のパネル同士が連結されてもよい。
【００２２】
締結ボルト２０及び螺子孔２２は抱え部材１２に２個備えられることが好ましいが、1個であってもよい。３個以上であってもよい。
【００２３】
本発明のパネル連結構造は、長尺係止部材がパネルに固定されているため、パネルが補強されるという効果を併せ持つ。
【００２４】
パネルと長尺係止部材とは接着固定されてもよい。螺子止めされてもよい。
【００２５】
パネルは単板であってもよい。部材が複合された複合パネルであってもよい。
【００２６】
締結ボルト２０はドライバ等の治具を用いて締結されてもよい。締結ボルト２０の頭頂につまみが設けられて手で締結されてもよい。
【００２７】
又、図３、図４に示すように、本発明の他の態様のパネル連結構造２ｂにおいては、抱え部材１２に、連結されたパネル４を立設するための支柱３０が固定されていてもよい。この態様により、支柱を別途用意して、連結されたパネル４をその支柱に取り付けるという操作を簡略化出来る。抱え部材１２と支柱３０との固定は、溶接、接着、螺子止め等で行なわれる。この固定は、図３、図４においては抱え部材１２に溶接された断面略半円形のケーシング３５に支柱３０を挿入し、固定用ボルト３７をケーシング３５を貫通する螺子穴に螺入して固定用ボルト３７の先端で支柱３０を押圧して行なわれる。抱え部材１２と支柱３０との固定は、このように螺子止め等で着脱可能になされていることが運搬や保管のうえで好ましい。この図３に示す態様は、図５に示すように、長尺係止部材６ｓを備える１個のパネル４ｓを立設するためのパネル立設構造５０にも適用出来る。
【００２８】
更に、図６、図７に示すように、本発明の更に他の態様のパネル連結構造２ｃにおいては、連結されたパネル４を立設するための支柱３０と、パネル４とが支柱抱え部材３２及び長尺係止部材６を介して締結されてもよい。この態様により、連結されたパネル４を立設するために支柱３０に取り付けるという操作を簡略化出来る。図６、図７においては、支柱３０が長尺係止部材６の表面側に配される。支柱抱え部材３２の中央部には螺子孔２２（図７）が支柱抱え部材３２を貫通して設けられ、螺子孔２２に締結ボルト２０が螺入している。支柱抱え部材３２は支柱３０及び長尺係止部材６をともに抱える。この図６に示す態様は、図８に示すように、長尺係止部材６ｓを備える１個のパネル４ｓを立設するためのパネル立設構造５２にも適用出来る。
【００２９】
支柱抱え部材３２は、支柱３０を抱える抱え部３６と、抱え部３６の両端それぞれに位置する係止抱え部４２を有する。係止抱え部４２は断面形状が略山状に屈曲した形状で、両端部に内側に曲った鈎部３８から成る係止部４０を備えて、長尺係止部材６に係止される。係止部４０が長尺板部１７の長手方向の各辺部の裏側に係止された状態で、支柱抱え部材３２が支柱３０と長尺係止部材６とを共に係止して結合する。又、締結ボルト２０の先端が支柱３０表面を押圧し、パネル４と支柱３０とが支柱抱え部材３２及び長尺係止部材６を介して締結される。
【００３０】
以上本発明のパネル連結構造の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３１】
例えば、図９に示すように、本発明のパネル連結構造は長尺係止部材６ｐがパネル４の縁部５０のみに配されていてもよい。各パネル４、４の縁部５１、５１同士がつき合わされて長尺係止部材６ｐ、６ｐの片端面同士が対面し、抱え部材１２を介して連結されるパネル連結構造２ａであってもよい。
【００３２】
又、例えば、図１０に示す長尺係止部材６ｑのように、長尺板９ｑの断面形状が両端部で内側に湾曲していてもよい。又、抱え部材１２ｑのように断面形状が略Ｃ字形であってもよい。更に、図１１に示す長尺係止部材６ｒのようにように、固定部１１ｒが長尺係止部材６ｒの長手方向に間歇的に配されてもよい。
【００３３】
又更に、各図にわたって示される長尺係止部材に係る長尺板の短手方向の幅は略同一とされているが、例えば、図１２に示す長尺係止部材６ｔのように、長尺板８と長尺板９の短手方向の幅が異なる態様であってもよい。又、図１３に示す長尺係止部材６ｕのように、長尺板９ｕの長手方向の辺部１６ｕの裏側に、長手方向に沿って凸条部２４が形成されてもよい。
【００３４】
更に、図１４に示す抱え部材１２ｒのように、鈎部１４から成る係合部１５の両端部がそれぞれ内側に更に曲折されて突出部２６が形成されてもよい。
【産業上の利用可能性】
【００３５】
本発明のパネル連結構造は、看板、掲示板、境界用板、囲い板等に適用出来る。
【図面の簡単な説明】
【００３６】
【図１】本発明のパネル連結構造の構成の一例を示す斜視模式図である。
【図２】図１に示すパネル連結構造の側面図である。
【図３】本発明のパネル連結構造の構成の他の一例を示す斜視模式図である。
【図４】図３に示す本発明のパネル連結構造の要部拡大斜視模式図である。
【図５】本発明のパネル立設構造の態様の一例を示す斜視模式図である。
【図６】本発明のパネル連結構造の構成の更に他の一例を示す斜視模式図である。
【図７】図６に示す本発明のパネル連結構造の要部拡大斜視模式図である。
【図８】本発明のパネル立設構造の態様の他の一例を示す斜視模式図である。
【図９】本発明のパネル連結構造の構成の又更に他の一例を示す斜視模式図である。
【図１０】本発明のパネル連結構造の態様の更に又他の一例を示す断面図である。
【図１１】本発明のパネル連結構造に用いられる長尺係止部材の態様の他の一例を示す斜視図である。
【図１２】本発明のパネル連結構造に用いられる長尺係止部材の態様の更に他の一例を示す斜視図である。
【図１３】本発明のパネル連結構造に用いられる長尺係止部材の態様の又更に他の一例を示す斜視図である。
【図１４】本発明のパネル連結構造の態様の更に他の一例を示す断面図である。
【符号の説明】
【００３７】
２、２ａ、２ｂ、２ｃ：パネル連結構造
４、４ａ：パネル
６、６ｐ、６ｒ、６ｓ、６ｔ、６ｕ：長尺係止部材
８：長尺板
９、９ｑ：長尺板（長尺板部）
１０：連結長尺板部
１１、１１ｒ：固定部
１２、１２ｑ、１２ｒ：抱え部材
１３：中間部
１４、３８：鈎部
１５：係合部
１６：辺部
１７：長尺板部
２０：締結ボルト
２２：螺子孔
２４：凸条部
２６：突出部
３０：支柱
３２：支柱抱え部材
３６：抱え部
４０：係止部
４２：係止抱え部
５０、５２：パネル立設構造
【図１】
2005215479.tif 000003
【図２】
2005215479.tif 000004
【図３】
2005215479.tif 000005
【図４】
2005215479.tif 000006
【図５】
2005215479.tif 000007
【図６】
2005215479.tif 000008
【図７】
2005215479.tif 000009
【図８】
2005215479.tif 000010
【図９】
2005215479.tif 000011
【図１０】
2005215479.tif 000012
【図１１】
2005215479.tif 000013
【図１２】
2005215479.tif 000014
【図１３】
2005215479.tif 000015
【図１４】
2005215479.tif 000016